(57)【要約】【課題】電子製品を使用する者に応じた電源コンセント数、ＵＳＢコンセント数、ＬＡＮ用コンセント数が提供でき、かつその形状を自在に可変可能な多機能自在コンセントを提供する。【解決手段】電灯線に電気的に接続する多機能自在コンセントであって、ボックス形状の電源コンセントモジュールと、ボックス形状のUSBコンセントモジュールと、ボックス形状のLAN用コンセントモジュールの少なくとも２つが、着脱自在に接続可能な手段により、電気的に接続する。【選択図】図２
0003180768.tif 000002
【実用新案登録請求の範囲】
【請求項１】
電灯線に電気的に接続する多機能自在コンセントであって、ボックス形状の電源コンセントモジュールと、
ボックス形状のUSBコンセントモジュールと、
ボックス形状のLAN用コンセントモジュールとのうち少なくとも２つが、着脱自在に接続可能な手段により、電気的に接続されていることを特徴とする多機能自在コンセント。
【請求項２】
前記電源コンセントモジュールには、電気製品の電源プラグ１が差込まれる電源プラグ差込口１と、
前記USBコンセントモジュールと前記LAN用コンセントモジュールとに形成された電源プラグ差込口３に差し込み可能な電源プラグ２及び／又は前記USBコンセントモジュールと前記LAN用コンセントモジュールとに形成された電源プラグ３が差し込み可能な電源プラグ差込口２がボックス形状のいずれかの面にそれぞれ形成されていることを特徴とする請求項１に記載の多機能自在コンセント。
【請求項３】
前記USBコンセントモジュールには、USB端子が差し込まれるUSB差込口と、前記電源プラグ３及び／又は前記電源差込口３とがボックス形状のいずれかの面に形成されていることを特徴とする請求項１に記載の多機能自在コンセント。
【請求項４】
前記LAN用コンセントモジュールには、LAN端子が差し込まれるLAN端子差込口と、前記電源プラグ３及び／又は前記電源差込口３がボックス形状のいずれかの面に形成されていることを特徴とする請求項１に記載の多機能自在コンセント。
【請求項５】
前記LAN端子は、PLC（Power Line Communication）であることを特徴とする請求項１から４のいずれかに記載の多機能自在コンセント。
【請求項６】
前記電源コンセントモジュール、電気USBコンセントモジュール、前記ＬＡＮ用コンセントモジュールが他のモジュールと接する面には、嵌合用凹部及び／又は嵌合用凸部が形成されていることを特徴とする請求項１から５のいずれかに記載の多機能自在コンセント。
【考案の詳細な説明】
【技術分野】
【０００１】
本考案は、電源コンセント、ＵＳＢコンセント、ＬＡＮ用コンセントを備えた多機能コンセントに係り、特にそれらを着脱自在に組み合わせることが可能な多機能自在コンセントに関する。
【背景技術】
【０００２】
従来、パソコンや携帯式の電子製品の電源供給方法は、電源アダプターを電源コンセントに差し込む、あるいはＵＳＢ電源アダプターを電源コンセントに差し込み、USBケーブルで電源供給を行うのが一般的である。また最近の、パーソナル・コンピュータ（パソコン）や、ノートパソコンなどの電子製品はＬＡＮ機能を備えているが、インターネットに接続するには、電源コンセントとは別に、ＬＡＮケーブルをＬＡＮ用コンセントに接続して使用するのが一般的である。
【０００３】
このため、図５に示すような電源コンセントに電子製品の電源アダプターを差込むか、そこにUSB電源アダプターを差込み、そこからUSBケーブルで電子製品と接続しなければならない。さらに、インターネットに接続するには、LANケーブルをインターネットと接続しているLAN用コンセントに差し込む必要があり、単一のコンセントだけでは全ての機能が安定できないという問題があった。
【０００４】
かかる課題を解決するため、特許文献１は、図１に示すような集合コネクタ１を開示している。この集合コネクタ１の前面には、２口の電源供給コンセント２ａ，２ｂと、３口のアナログ回線用のモジュラージャック４と、ＩＥＥＥ１３９４コネクタ５と、ＵＳＢコネクタ６とが形成されている。これにより、電源供給と、USB電源供給と、電話回線接続とを、ひとつのコネクタ（コンセント）でまかなうことができる。
【０００５】
また、特許文献２には、図１に示されるような回転可能なＵＳＢコンセントの構造を設けることにより、ＵＳＢ接続が可能な各種電子製品に直接電源供給を行うことができるとともに、従来の固定式ＵＳＢコンセントがＵＳＢ接続の方向の制限を受けるという問題を解決し、しかも構造が簡易なため製作コストも下げることができる部分的に回転可能な電源コンセントが開示されている。
【先行技術文献】
【特許文献】
【０００６】
【特許文献１】特開２０００−２４３５２２号公報
【特許文献２】特開２０１１−１３８７３８号公報
【考案の概要】
【考案が解決しようとする課題】
【０００７】
しかし、特許文献１が開示する集合コネクタは、電源コンセント、ＵＳＢポート、モジュラージャックを単に集合したに過ぎないものであることから、サイズが大きく、また電源コンセント、ＵＳＢポート、モジュラージャックの位置が固定している。そのため、使用者が使い勝手に応じて、その形状を変えたいと思っても変えられないという課題がある。また、特許文献１に記載の集合コネクターにはLAN用コンセントがなく、インターネット接続できない、という課題もある。
【０００８】
また、特許文献２が開示する回転可能なＵＳＢコンセントには、ＬＡＮ用コンセントが設けられていないため特許文献２のコンセントでは、ノートパソコンなどの電子製品をインターネットに接続することができない、という課題がある。
【０００９】
さらに、特許文献１、特許文献２が開示する技術では、電源コンセント、ＵＳＢコンセントあるいはＬＡＮ用コンセントの位置や個数を、使用者の使い勝手に応じて、変えることができないという課題がある。また、コンセントの形状を設置場所に応じて、例えばストレート型、あるいはL字型のように変えることができない、という問題がある。即ち、本来は、使用する電子製品の機能や個数、及びコンセントを設置する場所等に応じて、コンセントの形状等を自在に変えられることが好ましいが、特許文献１、２が開示する技術ではそのようなことはできない。
そこで本考案の課題は、電子製品を使用する者に応じた、電源コンセント数、ＵＳＢコンセント数、ＬＡＮ用コンセント数が提供でき、かつその形状を自在に可変可能な多機能自在コンセントを提供することにある。
【課題を解決するための手段】
【００１０】
上記課題を解決するため請求項１に記載の考案は、電灯線に電気的に接続する多機能自在コンセントであって、ボックス形状の電源コンセントモジュールと、ボックス形状のUSBコンセントモジュールと、ボックス形状のLAN用コンセントモジュールの少なくとも２つが、着脱自在に接続可能な手段により、電気的に接続されていることを特徴とする多機能自在コンセントである。
【００１１】
請求項２に記載の考案は、請求項１に記載の多機能自在コンセントであって、前記電源コンセントモジュールには、電気製品の電源プラグ１が差込まれる電源プラグ差込口１と、
前記USBコンセントモジュールと前記LAN用コンセントモジュールとに形成された電源プラグ差込口３に差し込み可能な電源プラグ２及び／又は前記USBコンセントモジュールと前記LAN用コンセントモジュールとに形成された電源プラグ３が差し込み可能な電源プラグ差込口２がボックス形状のいずれかの面にそれぞれ形成されていることを特徴とする。
【００１２】
請求項３に記載の考案は、請求項１に記載の多機能自在コンセントであって、前記USBコンセントモジュールには、USB端子が差し込まれるUSB差込口と、前記電源プラグ３及び／又は前記電源差込口３とがボックス形状のいずれかの面に形成されていることを特徴とする。
【００１３】
請求項４に記載の考案は、請求項１に記載の多機能自在コンセントであって、前記LAN用コンセントモジュールには、LAN端子が差し込まれるLAN端子差込口と、前記電源プラグ３及び／又は前記電源差込口３がボックス形状のいずれかの面に形成されていることを特徴とする。
【００１４】
請求項５に記載の考案は、請求項１から４のいずれかに記載の多機能自在コンセントであって、前記LAN端子は、PLC（Power Line Communication）であることを特徴とする。
【００１５】
請求項６に記載の考案は、請求項１から５のいずれかに記載の多機能自在コンセントであって、前記電源コンセントモジュール、電気USBコンセントモジュール、前記ＬＡＮ用コンセントモジュールが他のモジュールと接する面には、嵌合用凹部及び／又は嵌合用凸部が形成されていることを特徴とする。
【考案の効果】
【００１６】
本考案によれば、電子製品を使用する者に応じた電源コンセント数、ＵＳＢコンセント数、ＬＡＮ用コンセント数を備えた多機能自在コンセントを提供することができる。また、そのコンセントの形状を自在に可変することができ、電源コンセント数、ＵＳＢコンセント数、ＬＡＮ用コンセント数、及びそれらの位置等を自在に可変可能な多機能自在コンセントを提供することができる。
【図面の簡単な説明】
【００１７】
【図１】本考案の一実施の形態に係る多機能自在コンセントの平面図、側面図である。
【図２】本考案の一実施形態に係る多機能自在コンセントを構成する電源コンセントモジュ−ルル、ＵＳＢコンセントモジュ−ル、及びＬＡＮ用コンセントモジュ−ルの各単体を示した斜視図である。
【図３】本考案の他の一実施の形態に係る多機能自在コンセント平面図である。
【図４】ＵＳＢコンセントモジュ−ルの透視側面図、立面図である。
【図５】従来の電源コンセントの平面図、側面図である。
【考案を実施するための形態】
【００１８】
本考案の一実施の形態について、図面を参照して詳細に説明するが、本考案はこれに限定されるものではない。図１は本考案の一実施の形態に係る多機能自在コンセントの平面図、及び側面図である。
である。
【００１９】
図１に示す多機能自在コンセント１は、１個の抜け止付き電源コンセント１００を備える電源コンセントモジュ−ル１０と、電源コンセントモジュ−ル１０よりも両側が広く空いている電源コンセントモジュ−ル１１と、この実施例では左側だけが広く空いている電源コンセントモジュ−ル１２と、ＵＳＢ差込み口２００を１個備えるＵＳＢコンセントモジュ−ル２０、及びＬＡＮ用差込み口３００を３個備えるＬＡＮ用コンセントモジュ−ル３１とからなる。
【００２０】
ここで、電源コンセントの種類として、電源コンセントモジュ−ル１０、１１、１２の３種類あるのは、例えば、電源コンセントに差し込むアダプターが大きい場合、その両側にあるコンセントを、アダプターが塞いでしまう。そのような大きなアダプターを差し込む場合には、電源コンセントモジュ−ル１１を使うのが適当だからである。
【００２１】
また、片側だけを塞いでしまうようなアダプターを差し込む場合には、電源コンセントモジュ−ル１２を使うのが適当である。そして、両側のコンセントを塞ぐことのないアダプターの場合には、電源コンセントモジュ−ル１０を使うのが適当なためである。
【００２２】
この一実施の形態では、電源コンセントについて、上述したような３種類を例示したが、これをＵＳＢコンセントモジュ−ル、あるいはＬＡＮ用コンセントモジュ−ルについて同様に適用することは好ましい。
【００２３】
ここで、本実施の形態におけるＬＡＮ用コンセントモジュ−ルは、PLC （Power Line
Communication）である。PLCは電源ラインを使ってLAN接続できることから、電源コンセントモジュ−ルとＬＡＮコンセントモジュ−ルを一緒にした多機能自在コンセントとすることができる。
【００２４】
図２は、本考案の一実施の形態における多機能自在コンセントを構成する、電源コンセントモジュールモジュ−ル１０、ＵＳＢコンセントモジュール２０、及びＬＡＮ用コンセントモジュール３１を示した斜視図である。
【００２５】
本考案の特徴とするところは、電源コンセントモジュール１０、ＵＳＢコンセントモジュール２０、ＬＡＮ用コンセントモジュール３１は、それぞれ独立しており、かつそれぞれが、互いに電気的に接続できるように構成されているところにある。
【００２６】
図２に示す、電源コンセントモジュール１０には、電灯線のコンセントに接続する電源ケーブル４０が接続しており、また抜け止め１０１と電源プラグの差込口１０２が、ボックス形状の上面に形成されている。その側面には、嵌合用凹部５０が四隅に形成され、嵌合用凸部５１と嵌合することで、例えば、電源コンセントモジュール１０とＵＳＢコンセントモジュール２０とが一体化する。また、中央付近には電源プラグ６１が差し込まれる電源差込口６０が形成されており、電源プラグ６１が電源差込口６０に差し込まれることにより、ＵＳＢコンセントモジュール２０に電力が供給される。
【００２７】
同様に、ＵＳＢコンセントモジュール２０の側面には、嵌合用凹部５０、電源差込口６０が形成され、他の側面には、嵌合用凸部５１、電源プラグ６１が形成されている。なお、本実施の形態では、電源用プラグ６１が形成されている側面と、電源差込口６０が形成されている側面とが直交している。このような構成にすることで、多機能自在コンセントの形状をＬ字型にすることができる。また、ストレート型の多機能自在コンセントにするには、対向する面側に、それぞれ嵌合用凹部５０、電源差込口６０等を形成すれば良い。
【００２８】
ＬＡＮ用コンセントモジュール３０についても、同様にであり、図２においては、上面にＰＬＣのＬＡＮ用コンセント差込み口３００が形成され、電源プラグ６１、接続用凸部５１が形成されている側面と対向する面側に、嵌合用凹部５０、電源差込口６０が形成されている。
【００２９】
図３は、本考案の多機能自在コンセントをL字型にしたときの平面図である。図１に示す多機能自在コンセントがストレート型であるのに対し、図３に示す多機能自在コンセントはＬ字型となっている。ＬＡＮ用コンセントモジュール３０はLAN差込口が一個のものであり、これが電源コンセントモジュール１１に接続し、電源コンセント１１は２口のＵＳＢコンセントモジュール２１と直交して嵌合する。そしてＵＳＢコンセントモジュール２１は、電源コンセントモジュール１０に嵌合し、電源コンセントモジュール１０が電源コンセントモジュール１２に嵌合することで、Ｌ字型の多機能自在コンセントを構成している。
【００３０】
図４は、ＵＳＢコンセントモジュールの透視側面図と、その側面を示した図である。電源プラグ６１と電源差込口６０とは、その内部を通る金属導体６２により接続している。これにより、電灯線と接続している、例えば電源コンセントモジュール１０と嵌合することで電灯線と導通状態となり、すべてのモジュールが電気的に接続する。
【産業上の利用可能性】
【００３１】
本考案によれば、従来なかった、電子製品を使用する者の使い勝手に応じた電源コンセント数、ＵＳＢコンセント数、ＬＡＮ用コンセント数を備えた多機能自在コンセントを提供することができる。
【符号の説明】
【００３２】
１  多機能自在コンセント
１０  一口の抜け止め付き電源コンセントモジュ−ル
２０  一口のＵＳＢコンセントモジュ−ル
３０  一口のＬＡＮ用コンセントモジュ−ル
４０  電源線
５０  嵌合用凹部
５１  嵌合用凸部
６０  電源差込み口
６１  電源プラグ
【図１】
0003180768.tif 000003
【図２】
0003180768.tif 000004
【図３】
0003180768.tif 000005
【図４】
0003180768.tif 000006
【図５】
0003180768.tif 000007